(57)【特許請求の範囲】
【請求項１】
線状の繊維強化樹脂が螺旋状に巻回形成され、当該繊維強化樹脂の螺旋ピッチが当該繊維強化樹脂の線径よりも大きく設定されているブランクと、
当該ブランクの内側に釣糸が挿通される状態で当該ブランクの基端部を支持するバットとを備え、
上記バットは管状に形成され、当該バットの内部に上記ブランクの基端部が挿入されており、
上記バットの内周面に上記ブランクの基端部が螺合する螺旋溝が形成されており、当該螺旋溝に上記ブランクの基端部が螺合している釣竿。
【請求項２】
上記繊維強化樹脂の線径が０．５ｍｍ〜３．０ｍｍに設定されると共に上記螺旋ピッチが１．０ｍｍ〜６．０ｍｍに設定され、且つ軸方向長さが５０ｍｍ〜２００ｍｍに設定されている請求項１に記載の釣竿。
【請求項３】
上記ブランクの先端部の外径が軸方向先端側に向かって漸次拡大されている請求項１又は２に記載の釣竿。
【請求項４】
上記ブランクの先端に目印が設けられている請求項１から３のいずれかに記載の釣竿。
【発明の詳細な説明】
【技術分野】
【０００１】
この発明は、釣竿及び釣竿を構成するブランクの構造に関するものである。
【背景技術】
【０００２】
一般に、釣竿は、ブランクと、これを支持するバットとを有する。ブランクは、細長のパイプ状に形成されており、このブランクを形成する材料の物性及びブランクの断面係数によって、当該釣竿の曲げ剛性や変形態様（いわゆる「調子」と称される。）が決定される。なお、複数のブランクが連結されることによって構成される釣竿では、各ブランクは「節」と称され、元節（最も釣人側に配置される節）がバットを兼ねる場合もある。釣りにおいてターゲットとなる魚は様々であり、そのため、ターゲットに対応した様々な仕様（釣竿の全長、調子等）の釣竿が提供されている（例えば特許文献１及び特許文献２参照）。
【０００３】
実釣において、釣人が意図的に釣竿の長さや調子を変更させることができれば非常に便利である。一例としてワカサギ釣りでは、いわゆる魚の活性は刻々と変化するものであり、活性が高い場合には、ブランクの剛性が高く且つ胴調子であることが望ましく、また、活性が低い場合には、ブランクの剛性が低く且つ先調子であることが望ましい。ワカサギ釣りの実釣では、釣人は予め複数のブランクを用意し、魚の活性の変化に応じて適宜ブランクを交換する。
【先行技術文献】
【特許文献】
【０００４】
【特許文献１】特許第４０５３４００号公報
【特許文献２】特開平９−１９１８００号公報
【発明の概要】
【発明が解決しようとする課題】
【０００５】
しかしながら、実釣におけるブランクの交換作業は、釣人にとって面倒である。なぜなら、一般にブランクは、釣糸を支持するラインガイドを備えているから、ブランクが交換される際には、釣人は、釣糸をラインガイドから外した後にブランクを交換し、当該新たなブランクに設けられたラインガイドに再び釣糸を通さなければならないからである。つまり、ブランクの交換時に、釣人にとって釣糸の始末が非常に面倒である。
【０００６】
本発明はかかる背景のもとになされたものであって、その目的は、調子を変更することができるブランクを提供すること、及びブランクを交換することなく調子を変更することができる釣竿を提供することである。
【課題を解決するための手段】
【０００７】
(1) 上記目的を達成するため、本発明に係る釣竿は、線状の繊維強化樹脂が螺旋状に巻回形成され、当該繊維強化樹脂の螺旋ピッチが当該繊維強化樹脂の線径よりも大きく設定されているブランクと、当該ブランクの内側に釣糸が挿通される状態で当該ブランクの基端部を支持するバットとを備える。上記バットは管状に形成され、当該バットの内部に上記ブランクの基端部が挿入されている。上記バットの内周面に上記ブランクの基端部が螺合する螺旋溝が形成されており、当該螺旋溝に上記ブランクの基端部が螺合している。
【０００８】
この構成では、バットにブランクが支持されることにより釣竿が構成される。ブランクは、繊維強化樹脂からなるコイルバネ状に形成される。したがって、きわめて軽量のブランクが構成され、ひいては釣竿の軽量が図られる。また、上記繊維強化樹脂の物性、線径及び螺旋ピッチ並びにブランクの外径が変更されることにより、当該ブランクの曲げ剛性及び調子が精度良く調整される。そのため、当該ブランクの設計者の意図する曲げ剛性及び調子を備えた釣竿が製造され得る。
【０００９】
釣糸は、上記ブランクの内部に挿通される。つまり、この釣竿は、いわゆるインナーガイドタイプである。また、上記繊維強化樹脂の螺旋ピッチが当該繊維強化樹脂の線径よりも大きく設定されているから、巻回されることにより隣り合う線状の繊維強化樹脂間に隙間が生じる。当該ブランクに挿通された釣糸は、この隙間からブランク外に導出される。
【００１０】
上記釣糸が上記ブランクの隙間から導出されているから、当該ブランクが軸方向を回転中心として回転されると、当該釣糸が当該ブランクから導出されるポイント（「導出ポイント」）が軸方向に沿って移動する。つまり、上記ブランクが一の方向（たとえば時計回り）に回転されたときは、上記導出ポイントは軸方向一側（たとえばブランクの基端側）に移動し、一方、上記ブランクが他の方向（たとえば反時計回り）に回転されたときは、上記導出ポイントは軸方向他側（たとえばブランクの先端側）に移動する。このように導出ポイントが移動すれば、釣糸が引っ張られることによりブランクに作用する曲げモーメントが変化する。換言すれば、釣糸に同じ大きさの引張力が作用した場合であっても、導出ポイントが異なればブランクの変形も異なることを意味している。すなわち、ブランクが回転されることにより、当該ブランクの曲げ剛性が変化し、釣竿の調子が変化する。
【００１１】
上記ブランクは、回転されることにより上記バットに対して進退する。つまり、上記ブランクが一の方向（たとえば時計回り）に回転されたときは、当該ブランクが上記バットに対して軸方向に沿って突出し、一方、上記ブランクが他の方向（たとえば反時計回り）に回転されたときは、当該ブランクが上記バットに対して退避する。
【００１２】
ところで、ブランクが回転すると上記導出ポイントは前述のように軸方向沿ってに移動する。そうすると、ブランクが回転したとしても、上記導出ポイントは、相対的に上記軸方向に沿って移動することはない。つまり、上記バットから上記導出ポイントまでを釣竿の「長さ」であると定義づけられるならば、ブランクが回転したとしても釣竿の長さは不変である。その結果、実釣においてブランクが操作されたとしても、仕掛けが揺動することがないという利点がある。
【００１３】
(2) 上記繊維強化樹脂の線径が０．５ｍｍ〜３．０ｍｍに設定されると共に上記螺旋ピッチが１．０ｍｍ〜６．０ｍｍに設定され、且つ軸方向長さが５０ｍｍ〜２５０ｍｍに設定され得る。
【００１４】
この場合、当該ブランクは、ワカサギ釣りに供される釣竿の釣竿本体として好適なものとなる。
【００１５】
(3) 上記ブランクの先端部の外径は、軸方向先端側に向かって漸次拡大されているのが好ましい。
【００１６】
この構成によれば、ブランクの先端部は、いわゆる漏斗状に形成される。このため、釣糸の導出ポイントがブランクの先端である場合に、釣糸が当該ブランクの先端で極端に屈曲されることなく、滑らかに湾曲してブランクから導き出される。これにより、釣糸に微小な外力が作用した場合に、ブランクの先端部の変位ないし振動が明確に現れ、釣竿のいわゆる感度が向上する。
【００１７】
(4) 上記ブランクの先端に目印が設けられていてもよい。
【００１８】
この構成では、釣糸に外力が作用したときのブランクの先端部の変位ないし振動が一層明確に現れるという利点がある。
【発明の効果】
【００１９】
この発明によれば、釣人は、ブランクを軸方向を中心に回転させることにより、釣糸の、導出ポイントを変化させ、意図的にブランクあるいはこのブランクを構成要素とする釣竿の調子を意図的に変化させることができる。その結果、実釣において、釣人は、ブランクを交換することなくターゲットの活性に応じて釣竿の調子を迅速に変更することができるという利点がある。
【図面の簡単な説明】
【００２０】
【図１】図１は、本発明の一実施形態に係る釣竿１０の外観斜視図である。
【図２】図２は、釣竿１０の断面図である。
【図３】図３は、釣竿１０の断面図である。
【発明を実施するための形態】
【００２１】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００２２】
図１は、本発明の一実施形態に係る釣竿１０の外観斜視図である。
【００２３】
この釣竿１０は、ワカサギ釣りに供される。釣竿１０は、釣竿本体１１（特許請求の範囲に記載された「ブランク」に相当）と、これを支持するバット１２とを有する。なお、同図において、釣竿本体１１の構造については、簡略化のために釣竿本体１１の外形線のみが二点鎖線で描かれている。本実施形態では、釣竿１０は、ワカサギ釣り専用の電動リール１３に装着されている。この電動リール１３は、釣糸１４が巻き取られたスプール１５を備えており、このスプール１５から引き出された釣糸１４がバット１２及び釣竿本体１１の内部に挿通されている。同図では、釣竿本体１１の構造が詳細に示されていないが、この釣竿１０は、いわゆるインナーガイドタイプである。なお、電動リール１３は、支持アーム１６を備えており、この支持アーム１６に釣竿１０が固定されている。電動リール１３の構造についての説明は省略される。
【００２４】
本実施形態に係る釣竿１０の特徴とするところは、釣竿本体１１の構造及びバット１２が釣竿本体１１を支持する支持構造である。すなわち、釣竿本体１１が後述のようなコイル状に形成されている点、及び釣竿本体１１が後述のようにバット１２に螺合している点が当該釣竿１０の特徴点である。
【００２５】
図２及び図３は、釣竿１０の断面図である。
【００２６】
同図が示すように、釣竿本体１１は、全体として円筒状に形成されている。この釣竿本体１１の基端部１７は、後に詳述されるバット１２に支持されている。釣竿本体１１は、繊維強化樹脂１８から構成されている。具体的には、釣竿本体１１は、線状の繊維強化樹脂１８が螺旋状に巻回されることにより形成されている。この繊維強化樹脂１８は、炭素繊維に樹脂を含浸させて糸状に形成されたものである。釣竿本体１１は、この繊維強化樹脂１８が芯金（マンドレル）に螺旋状に巻回され、所定の温度で所定の時間だけ加熱されることにより焼成される。
【００２７】
繊維強化樹脂１８の線径ｄは、１．０ｍｍに設定されている。また、この繊維強化樹脂１８の螺旋ピッチｐは、４．０ｍｍに設定されている。したがって、隣り合う繊維強化樹脂１８間に隙間Ｓが形成されている。本実施形態では、この隙間Ｓから釣糸１４が外部に導出されている。この隙間Ｓの寸法は特に限定されるものではないが、釣糸１４が挿通可能なように１．０ｍｍ〜６．０ｍｍに設定される。繊維強化樹脂１８の線径ｄは特に限定されるものではないが、０．５ｍｍ〜３．０ｍｍの範囲で設定され得る。また、上記螺旋ピッチｐも特に限定されないが、上記隙間Ｓが生じるように１．０ｍｍ〜６．０ｍｍの範囲で設定され得る。
【００２８】
さらに、上記繊維強化樹脂１８の長さＬ（特許請求の範囲に記載された「軸方向長さ」に相当）は、本実施形態では１５０ｍｍに設定されている。ただし、この長さＬは、５０ｍｍ〜２５０ｍｍの範囲で設定され得る。なお、上記繊維強化樹脂１８の引張強度は、一般に２４ｔｏｎ／ｍｍ２〜４６ｔｏｎ／ｍｍ２の範囲で設定され得るが、さらに高弾性の繊維強化樹脂が採用されてもよい。
【００２９】
本実施形態では、繊維強化樹脂１８の断面形状が円形に形成されているが、他の形状であってもよいことは勿論である。たとえば、繊維強化樹脂１８の断面形状が楕円形状や矩形であってもよい。断面が矩形の場合は、縦×横寸法は、たとえば１．４ｍｍ×２．０ｍｍ程度に設定される。ただし、その場合であっても、上記螺旋ピッチｐは、隣り合う繊維強化樹脂１８間に隙間Ｓが生じるように設定される。
【００３０】
もっとも、釣竿本体１１が金属製線状部材から構成されていてもよい。この場合、釣竿本体１１を構成する材料は、典型的にはステンレス鋼である。この場合、金属製線状部材の線径ｄは、上記繊維強化樹脂１８の線径ｄと同様に１．０ｍｍに設定され、螺旋ピッチｐは、４．０ｍｍに設定され得る。そのため、隣り合う金属製線状部材の間に隙間Ｓが形成される。この隙間Ｓは、前述と同様に１．０ｍｍ〜６．０ｍｍの範囲で設定され得る。金属製線状部材の線径ｄは特に限定されるものではないが、上記繊維強化樹脂１８と同様に０．５ｍｍ〜３．０ｍｍの範囲で設定され得る。また、上記螺旋ピッチｐも特に限定されないが、上記隙間Ｓが生じるように１．０ｍｍ〜６．０ｍｍの範囲で設定され得る。なお、金属製線状部材の断面形状は、上記繊維強化樹脂１８と同様に、円形のほか楕円形状が矩形が採用され得る。
【００３１】
また、本実施形態では、釣竿本体１１は、全体として略漏斗状に形成されている。すなわち、釣竿本体１１の外径寸法Ｄが、釣竿本体１１の中間部から先端部１９に向かって漸次拡大されている。本実施形態では、釣竿本体１１の基端部１７の外径Ｄ１が４．０ｍｍに設定されており、先端部１９の外径Ｄ２が９．０ｍｍに設定されている。もっとも、これらの寸法Ｄ１、Ｄ２は特に限定されるものではなく、寸法Ｄ１は、２．０ｍｍ〜１０．０ｍｍの範囲で設定され、寸法Ｄ２は、４．０ｍｍ〜３５．０ｍｍの範囲で設定され得る。このように先端部１９の外径が拡径されることによる作用効果については後述される。
【００３２】
本実施形態では、釣竿本体１１の先端、すなわち繊維強化樹脂１８の先端に目印３１（図１参照）が設けられている。この目印３１は球状に形成されており、典型的には発泡樹脂から構成される。目印３１に鮮やかなカラーが配色されているのが好ましい。なお、この目印３１は、省略されてもよい。
【００３３】
バット１２は、全体として筒状に形成されている。本実施形態では、バット１２は、外筒２０と、内筒２１と、外筒２０の後端に装着された導入リング２２とを備えている。バット１２は典型的には樹脂により構成される。ただし、導入リング２２は、シリコンカーバイド（ＳｉＣ）で構成されるのが好ましい。
【００３４】
外筒２０は、円筒状に形成されている。外筒２０の先端及び後端に、それぞれ、先端リング２３及び後端リング２４が装着されている。外筒２０は、これら先端リング２３及び後端リング２４に挟み込まれており、先端リング２３及び後端リング２４に対して相対的に回転することができる。すなわち、各図が示すように、先端リング２３及び後端リング２４の外側を囲繞するように固定テープ２５が巻き付けられており、先端リング２３及び後端リング２４は、固定テープ２５によって支持アーム１６に固定されている。この状態で、外筒２０は、先端リング２３及び後端リング２４に対して軸方向を中心にして回転することができる。また、外筒２０の内周面に雌ねじ２６（特許請求の範囲に記載された「螺旋溝」に相当）が形成されている。この雌ねじ２６の作用効果については後述される。
【００３５】
内筒２１は、略円筒状に形成されており、本体２７及び頭部２８を備えている。頭部２８は本体２７の先端に延設されており、頭部２８の外径は、本体２７の内径よりも大きく設定されている。このため、内筒２１は、外筒２０の内部に埋設されることはなく、必ず頭部２８が外筒２０から露出する。上記本体２７の外周面に雄ねじ２９が形成されている。この雄ねじ２９は、上記雌ねじ２６と螺合していする。したがって、内筒２１が軸方向を中心にして回転されると、当該内筒２１は、回転しつつ外筒２０に対して軸方向に進退する。
【００３６】
内筒２１の内周面に溝３０が形成されている。この溝３０の壁面は円弧状に形成されており、当該壁面の曲率は、上記釣竿本体１１を構成する繊維強化樹脂１８の線径に対応している。また、溝３０のピッチは、上記繊維強化樹脂１８のピッチｐに対応している。そして、上記繊維強化樹脂１８は、上記溝３０に嵌め込まれており、当該繊維強化樹脂１８（すなわち、釣竿本体１１）と上記内筒２１とが固着されている。つまり、内筒２１は、釣竿本体１１の基端部１７を兼ねており、釣竿本体１１が軸方向を中心に回転されることにより、当該釣竿本体１１は、内筒２１を介してバット１２に対して軸方向に沿って進退するようになっている。なお、内筒２１が省略され、釣竿本体１１が直接に外筒２０と螺合していてもよい。その場合、釣竿本体１１を構成する繊維強化樹脂１８が上記雄ねじ２９を構成する。
【００３７】
導入リング２２は、釣糸１４が釣竿１０の内部に挿通される際に案内する部材である。導入リング２２は、図２が示すように後端リング２４に嵌め込まれており、導入リング２２の内径は、後端リング２４の内径よりも小さく設定されている。釣糸１４が滑らかに案内されるために、導入リング２２の内面は内側に突出した円弧状に形成されている。
【００３８】
本実施形態では、釣竿本体１１は、繊維強化樹脂１８からなるコイルバネ状に形成されているから、釣竿本体１１がきわめて軽量であり、したがって、釣竿１０も軽量が図られる。しかも、上記繊維強化樹脂１８の物性、線径ｄ、螺旋ピッチｐ及び釣竿本体１１の外径Ｄが変更されると、釣竿本体１１の曲げ剛性及び調子が精度良く調整される。これにより、設計者の意図する曲げ剛性及び調子を備えた釣竿が製造され得る。
【００３９】
釣糸１４は、図２が示すように釣竿本体１１の内部に挿通される。隣り合う繊維強化樹脂１８間に隙間Ｓが形成されているから、釣糸１４は、所定の隙間Ｓから釣竿本体１１の外部に導出され、垂下する。このため、釣竿本体１１が軸方向を中心として回転されると、釣糸１４が釣竿本体１１から導き出される導出ポイント３２が軸方向に沿って移動する。たとえば、釣竿本体１１が時計回りに回転されたときは、上記導出ポイント３２は釣竿本体１１の基端部１７側に移動し、一方、反時計回りに回転されたときは、上記導出ポイント３２は先端部１９側に移動する。
【００４０】
このように導出ポイント３２が移動するから、釣糸１４が引っ張られた場合に、釣竿本体１１に作用する曲げモーメントが変化する。すなわち、釣糸１４に同じ大きさの引張力が作用した場合であっても、導出ポイント３２が異なれば釣竿本体１１の変形のしかたも異なる。換言すれば、釣竿本体１１が回転されることにより、当該釣竿本体１１の曲げ剛性が変化し、釣竿１０の調子が変化する。その結果、実釣において、釣人は、釣竿本体１１を他のものに交換することなく、ターゲットの活性に応じて釣竿１０の調子を迅速に、しかも無段階に変更することができる。
【００４１】
本実施形態では、前述のように釣竿本体１１の基端部１７がバット１２に螺合しているから、釣竿本体１１は、回転されることによりバット１２に対して進退し、たとえば、図３が示すように、バット１２から伸長し、釣竿１０の全長Ａが長くなる。ここで、釣竿１０の全長とは、導入リング２２の後端から釣竿本体１１の先端までの距離である。一方、釣竿本体１１が回転すると、上記導出ポイント３２（図２参照）が軸方向沿って前述のように移動することから、釣竿本体１１が回転したとしても、上記雄ねじ２９及び雌ねじ２６のピッチが釣竿本体１１を構成する繊維強化樹脂１８の螺旋ピッチｐと一致しているならば、上記導出ポイント３２が相対的に移動することはない。
【００４２】
つまり、上記バット１２の後端（すなわち導入リング２２の後端）から上記導出ポイント３２までの距離が釣竿１０の「実質長」であると定義づけられるならば、釣竿本体１１が回転したとしても釣竿１０の実質長は不変である。その結果、実釣において釣竿本体１１が操作されて釣竿１０の調子が変更される場合であっても、上記導出ポイント３２の位置が不変であるから、仕掛けがぶれたり揺動することが抑えられるという利点がある。
【００４３】
その一方で、釣竿１０の全長Ａが長くなった状態で、釣人が意図的に上記導出ポイント３２を操作して、つまり、釣糸１４を操作して導出ポイント３２を釣竿本体１１の先端に移動させると、上記実質長が最も長くなり、釣竿１０を軟調子の設定とすることができる。このように、釣竿の調子に関する釣人の様々な要求に対して、釣竿本体１１の交換をすることなく迅速に対応することができる。
【００４４】
特に、本実施形態では、釣竿本体１１の先端部１９の外径Ｄ２が図２及び図３が示すように漸次拡大されている。すなわち、釣竿本体１１の先端部１９が漏斗状に形成されている。このため、上記導出ポイント３２が釣竿本体１１の先端である場合に、釣糸１４が釣竿本体１１から導出される際に極端に屈曲されることがなく、滑らかに湾曲して釣竿本体１１から導き出される。したがって、釣糸１４に微小な外力が作用した場合であっても、釣竿本体１１の先端部１９の変位ないし振動が明確に現れる。つまり、釣竿１０感度が向上する。
【００４５】
また、本実施形態では、釣竿本体１１の先端に目印３１が設けられていているから、実釣において釣糸１４に外力が作用したときに、釣竿本体１１の先端部１９の変位ないし振動が一層明確に現れるという利点がある。
【符号の説明】
【００４６】
１０・・・釣竿
１１・・・釣竿本体
１２・・・バット
１４・・・釣糸
１７・・・基端部
１８・・・繊維強化樹脂
１９・・・先端部
２０・・・外筒
２１・・・内筒
２６・・・雌ねじ
２７・・・本体
２８・・・頭部
２９・・・雄ねじ
３１・・・目印
３２・・・導出ポイント
【図１】
0005921295.tif 000002
【図２】
0005921295.tif 000003
【図３】
0005921295.tif 000004